(57)【要約】      （修正有）【課題】簡単に薬粒をシートから取り出すことができる指サック式のキャップ型、錠剤の薬粒取り出し器を提供する。【解決手段】指サック式のキャップ型の紙めくり形状で、指にはめ込める形状であり、キャップ１２の先端には指のツメを長くしたアーチ状の硬い突起物４とそれを支える輪状の枠５をキャップ１２に付けてあり、キャップの中６へ指を入れて、片手の指、又は、両手の指に差し込んで、シートに包まれた錠剤の薬粒を上から斜めから押したり、ひねったりするとシートが破れて、薬粒を取り出すことができる。【選択図】図１
0003214160.tif 000002
【実用新案登録請求の範囲】
【請求項１】
楕円形の指サック式のキャップ型の形状であり、いろいろな人の指の親指、人差し指、中指などに対応できる太さの形状の種類を用意して、指サック式のキャップの先端の上部に指のツメを長くした、アーチ状の硬い突起物とそれを支える輪状の枠を付けておくことにより、片手や両手の中指、人指し指や親指に付けた硬い突起物で、シートに包まれた薬粒を上からや斜めから押して、ひねるとシートが破れて、錠剤の薬粒を取り出すことができることを特徴とする、指サック式のキャップ型、錠剤の薬粒取り出し器。
【請求項２】
楕円形の指サック式のキャップ型の形状であり、いろいろな人の指の親指、人差し指、中指などに対応できる太さの形状の種類を用意して、指サック式のキャップの先端の下部に指のツメを長くした、アーチ状の硬い突起物とそれを支える輪状の枠を付けておくことにより、片手や両手の中指、人差し指や親指に付けた硬い突起物で、シートに包まれた薬粒を上からや斜めから押して、ひねるとシートが破れて、錠剤の薬粒を取り出すことができることを特徴とする、指サック式のキャップ型、錠剤の薬粒取り出し器。
【考案の詳細な説明】
【技術分野】
【０００１】  飲薬の錠剤の薬粒をシートから取り出すことに関するものである。
【背景技術】
【０００２】  飲薬の錠剤の薬粒をシートから取り出す器具はあまり存在しない。
【先行技術】
【０００３】１、  片手、両手の親指、人差し指、中指などでつまんで、シートの中の薬粒を押し、ひ      ねったりして、シートを破って薬粒を出す。
２、  押し器具でシートの表や裏から押して薬粒を出す。
３、  いろいろなナイフやハサミで錠剤のシートの端を切って、薬粒を出す。
４、  他人に薬粒を出してもらう。
【考案の概要】
【０００４】  指サック式のキャップ型、紙めくり器の形状であり、伸縮性のあるゴム素材でつくり、親指、中指、人差し指用と作る。指サック式のキャップの先端部分には指のツメを長くした、アーチ状の硬い突起物とそれを支える輪状の枠をキャップに付けておくことにより、片手、又は両手の指にはめた本考案のアーチ状の硬い突起物でシートに包まれた薬粒を押して、ひねることにより、シートが破れて薬粒を取り出すことができることを特徴とする、指サック式のキャップ型、錠剤の薬粒取り出し器。
【考案が解決しようとする課題】
【０００５】  飲み薬の錠剤の粒をシートから取り出す時には、高齢者や身体障碍者になると指先が麻痺したり、力不足になったり、指先が痛くなったり、力が入らなくなったりして、上手くシートの中の薬粒を取り出すことができないことが多い。簡単な操作と方法で薬粒を取り出すことができれば高齢者や身体障碍者にとっては良報となる。
【考案を解決するための手段】
【０００６】  指サック式のキャップ型の紙めくり器の形状であり、いろいろな指の太さに対応して指にはめ込めるように親指用、中指用、人差し指用とそれぞれ大、中、小の大きさをつくる。素材は臭いがしないＥＰＤＭ製などのゴム製でキャップの先端には指のツメを長くした、ツメ状のアーチ型の硬い突起物とそれを支える輪状の枠をキャップの先端部分の上部、又は下部に付けておく。キャップの入口には指を入れやすいように引っ張る部分のフラッグを付けておく。また、キャップの上部には通気用の穴を開けておくことによりキャップの中が蒸れにくくなり、キャップの上、下を認識できるようにする。
フラッグを引っ張って麻痺していない得意とする指を選定して、本考案を人差し指、中指、親指に入れて、硬い突起物の部分でシートに包まれた薬粒の上や斜めから押したり、ひねったりすると、シートが破れて薬粒を取り出すことができることを特徴とする、指サック式のキャップ型、錠剤の薬粒取り出し器。
【考案の効果】
【０００７】  高齢者や身体障碍者になると薬を飲む機会が多くなる。錠剤の薬粒をシートから取り出すには人差し指や親指の力が衰えたり、痛くなったりして苦痛を伴い困難になる。本考案を使用すると、今までのようにして、簡単に薬粒をシートから取り出すことができるので、高齢者や身体障碍者にとっては大変に助かり、便利となる、指サック式のキャップ型、錠剤の薬粒取り出し器。
【図面の簡単な説明】
【０００８】
【図１】正面図  （１）キャップの先端部分の上部につけたツメ状の突起物  （２）キャップの先端部分の下部に付けたツメ状の突起物
【図２】側面図  （１）キャップの先端部分の上部に付けたツメ状の突起物  （左）  （右）  （２）キャップの先端部分の下部に付けたツメ状の突起物  （左）  （右）
【図３】上からの図
【図４】下からの図
【図５】シートに包まれた薬粒を取り出しの図  （１）人差し指の図  （２）親指の図
【符号の図】
【０００９】    ▲１▼  シートに入った錠剤の薬粒
▲２▼  シートの部分
▲３▼  薬粒
▲４▼  先端部分のツメ状の突起物
▲５▼  突起物を支える輪状の枠
▲６▼  指を入れる部分
▲７▼  人差し指
▲８▼  親指
▲９▼  手
▲１０▼  空気抜きの穴
▲１１▼  フラップ（引っ張る部分）
▲１２▼  指サック部分（キャップ部分）
【考案を実施するための形態】
【００１０】  １、操作をする手の指を決める。片手、又は両手を決める。
２、親指や人差し指、中指など一番よく動く指、いつも得意としている指を選定して、      その指に本考案の大きさやツメ状の位置の種類から自分に合った親指、人差し指、      中指用を選んで、フラップ部分を引っ張って装着する。
３、本考案のツメ状の硬い突起部分を錠剤の薬粒のシートの上から、又は斜めから当て      て、片手、又は両手で押して、ひねる。
４、シートを破って薬粒を出す。
５、本考案を指からはずして、薬を取りあげて飲む。
【産業上の利用可能性】
【００１１】  高齢化が進んでいる現在、シートに包まれた錠剤の薬を飲む機会は多い。毎日、シートに包まれた薬の粒を取り出すのは高齢者や身体障碍者にとっては、指が痛くて感覚がなくて、震えたりして、シートが破れなくて苦しんでいる人は多い。本考案を使用して指サック式のキャップの中へ指を差し込むだけで指のツメの代わりにアーチ状の硬い突起物でシートを破り、薬の粒を取り出すことができれば、高齢者や身体お障害者にとっては他人の世話にならずにできるので、日々ストレスのない、健全で楽しい生活を送ることができる。
【図１】
0003214160.tif 000003
【図２】
0003214160.tif 000004
【図３】
0003214160.tif 000005
【図４】
0003214160.tif 000006
【図５】
0003214160.tif 000007
【手続補正書】
【提出日】平成29年10月11日(2017.10.11)
【手続補正１】
【補正対象書類名】実用新案登録請求の範囲
【補正対象項目名】全文
【補正方法】変更
【補正の内容】
【実用新案登録請求の範囲】
【請求項１】
指サック式のキャップ型の形状であり、いろいろな人の指の親指、人差し指、中指などに対応できる太さの形状の種類を用意して、指サック式のキャップの先端の上部に指のツメを長くした、アーチ状の硬い突起物とそれを支える輪状の枠を付けておくことにより、片手や両手の中指、人差し指や親指に付けた硬い突起物で、シートに包まれた薬粒を上からや斜めから押して、ひねるとシートが破れて、錠剤の薬粒を取り出すことができることを特徴とする、指サック式のキャップ型、錠剤の薬粒取り出し器。
【請求項２】
指サック式のキャップ型の形状であり、いろいろな人の指の親指、人差し指、中指などに対応できる太さの形状の種類を用意して、指サック式のキャップの先端の下部に指のツメを長くした、アーチ状の硬い突起物とそれを支える輪状の枠を付けておくことにより、片手や両手の中指、人差し指や親指に付けた硬い突起物で、シートに包まれた薬粒を上からや斜めから押して、ひねるとシートが破れて、錠剤の薬粒を取り出すことができることを特徴とする、指サック式のキャップ型、錠剤の薬粒取り出し器。